(57)【特許請求の範囲】
【請求項１】
光学的に矯正された二レンズ眼鏡であって、
装着者の左右正規視線の装着時の向きで、ラップ及びレーキを有し、
装着者の右目からの正規視線の経路内における右レンズ、及び装着者の左目からの正規視線の経内路における左レンズを支持するフレームと、
左右各レンズの間のレンズ厚を画定する各左右レンズ体の前表面と後表面と、
を備え、
前記右レンズの前後表面の各々は、第１中心を有する右前球体及び第２中心を有する右後球体との表面部分の各々とほぼ一致し、前記右レンズは水平面及び垂直面の両方においてテーパ状に形成され、
前記左レンズの前後表面の各々は、第３中心を有する左前球体及び第４中心を有する左後球体との表面部分の各々とほぼ一致し、前記左レンズは水平面及び垂直面の両方においてテーパ状に形成され、
前記第１中心、第２中心、第３中心及び第４中心の各々は互いにずれ、右光学中心線は、前記右レンズの第１中心及び第２中心を通って延び、左光学中心線は、前記左レンズの第３中心及び第４中心を通って延び、
前記右機械的中心は、装着時の向きで右レンズにより示されたレーキの程度に対応する垂直距離、及び装着時の向きで右レンズにより示されたラップの程度に対応する水平距離により、前記右光学中心線から水平及び垂直の両方にずれ、
前記左機械的中心は、装着時の向きで左レンズにより示されたレーキの程度に対応する垂直距離、及び装着時の向きで左レンズにより示されたラップの程度に対応する水平距離により、前記左光学中心線から水平及び垂直の両方にずれ、
前記レーキ及びラップにより生じるプリズム歪みを光学的に矯正したことを特徴とする眼鏡。
【請求項２】
前記右光学中心線は、装着者の右目正規視線から水平及び垂直の両方にずれた点で右レンズと交差し、前記左光学中心線は、装着者の左目正規視線から水平又は垂直の両方にずれた点で左レンズと交差することを特徴とする請求項１に記載の眼鏡。
【請求項３】
前記右前球体及び左前球体はベースが約６より大きい湾曲を備えていることを特徴とする請求項１に記載の眼鏡。
【請求項４】
前記右前球体及び左前球体はベースが約８より大きい湾曲を備えていることを特徴とする請求項３に記載のレンズ。
【請求項５】
前記右前球体及び左前球体はベースが約８．７５の湾曲を備え、前記レンズは最大厚みが約１．６５ｍｍ、最小厚みが約１．１５ｍｍであることを特徴とする請求項４に記載の眼鏡。
【請求項６】
光学的に矯正された二レンズの眼鏡の製造方法であって、
右機械的中心が、装着時の向きで右レンズにより示されたレーキの程度に対応する垂直距離、及び装着時の向きで右レンズにより示されたラップの程度に対応する水平距離により、前記右光学中心線から水平及び垂直の両方向にずれた右レンズを、第２レンズブランク上の所定位置から、選択したテーパ状の右レンズ厚さに切り取る工程と、
左機械的中心が、装着時の向きで左レンズにより示されたレーキの程度に対応する垂直距離、及び装着時の向きで左レンズにより示されたラップの程度に対応する水平距離により、前記左光学中心線から水平及び垂直の両方向にずれた左レンズを、第１レンズブランク上の所定位置から、選択したデーパ状の左レンズ厚さに切り取る工程と、を含むことを特徴とする眼鏡の製造方法。
【発明の詳細な説明】
本発明は、眼鏡に使用されるレンズ、特に光学ゆがみを軽減できる構造及び向きにした偏心非矯正レンズに関する。
発明の背景
眼鏡分野では近年、特に活動的なスポーツに使用したりファッションサングラスとして使用する眼鏡に関して様々な改良が行われている。これらの改良は、一体型レンズを備えた眼鏡、例えば「ブレイズ」（Blades）（登録商標）デザイン（オークレイ社（Oakley,Inc.））、「Ｍフレーム」（M Frame）（登録商標）ライン（オークレイ社）、及びやはりオークレイ社製の「ゼロ」（Zero）（登録商標）ラインに組み込まれている。これらの眼鏡構造によって、従来の活動的なスポーツ用メガねに較べて、周辺光の遮断が最大になること、光学ゆがみの低減、装着感の向上等の様々な機能的利点が達成される。
「ブレイズ」（登録商標）眼鏡の一体型レンズは、例えばジャナード（Jannard）に発行された米国特許第４，８５９，０４８号に開示されている円筒形状を組み込んでいる。この形状は、レンズを装着者の顔面にぴったり一致させて、装着者の真っ直ぐ前方（前方向）及び周辺（側方）からの光、風、埃等を遮断することができる。ジャナードの米国特許第４，８６７，５５０号（トリダルレンズ形状）も参照されたい。
初期の一体型レンズ装置は、横から横までの全視野を与えると共に、良好な目の側方保護を行っていたが、光学ゆがみの可能性がある。一体型レンズ装置では、例えば装着者の視線が横方向で移動すると、装着者の目から後レンズ表面への入射角が変化する。その結果、レンズの前部寄りで入射する光と側端部で入射する周辺光との間で屈折が異なる。プリズムゆがみのこの原因に取り組んで、米国特許第４，８５９，０４８号は、中央部分から側縁部に向かってレンズの厚さにテーパをつけることを開示している。
従来技術の眼鏡はまた、２つの個別のレンズを前フレームに沿って取り付けた二レンズ眼鏡装置を用いてきた。初期の二レンズ眼鏡装置では、左右のレンズの各々は装着時の形状がほぼ共平面であった。このため、真っ直ぐに前方を見た時、装着者の視線は一般的にレンズの後表面を光学ゾーン内のレンズ表面に直角に横切っていた。このレンズ構造の問題点の１つは、垂直方向に長い耳づるまたは側部アタッチメント等の特別な変更を用いなければ、この眼鏡は目の側方保護を実質的に行うことができないことであった。
その後、各レンズの側縁部を前平面から後方へ、装着者の頭の側部を取り囲むように湾曲させることによって、高ラップ一体型レンズ装置によって得られるものと同様な側方ラップを提供できるようにした二レンズ装置が開発された。大きなラップをつけた二レンズ眼鏡は目の側方保護を行うが、一般的にレンズの湾曲が装着者の視界全体に無視できないプリズムゆがみを招いた。これは、高屈折率の材料からなるレンズにおいて特に顕著であった。また、低い輪郭を維持しながらラップを最適化するために高ベース湾曲（例えば６以上のベース）が望まれることが多いが、そのようなレンズは、比較的高レベルのプリズムゆがみがあるために、従来は実用的ではなかった。
このため、視界のほぼ全体にわたって光を遮断すると同時に、視界全体の光学ゆがみを最小限に抑えることができる二レンズ眼鏡に使用する高ベース非矯正レンズが必要である。
発明の概要
本発明の１つの態様によれば、非矯正二レンズ眼鏡に使用する眼鏡レンズが提供されている。眼鏡レンズは、装着者の正規視線の経路上にレンズを支持するフレームと組み合わせて使用される。
レンズは、前表面、後表面及びその間の厚さを有するレンズ本体を備えている。
レンズの前表面は、立体幾何形状の表面の一部分に一致している。好ましくは、レンズの前表面は、第１中心を備えた第１球体の表面の一部分にほぼ一致している。レンズの後表面は、立体幾何形状の表面の一部分に一致しており、それは前表面が一致している形状と同じでも、異なっていてもよい。好ましくは、後表面は、第２中心を備えた第２球体の表面の一部分にほぼ一致している。
第１及び第２中心が互いにずれていることによって、レンズ厚さにテーパがつけられている。レンズは第１及び第２中心を通る線が装着者の正規視線で平行に維持されるフレーム内に取り付けられている。
レンズは、レンズブランクから切り取ってもよいが、射出成形または他の公知の技法によって最終形状に直接成形してもよい。好ましくは、レンズの光学中心線を装着者の正規視線とほぼ平行な関係に維持しながら、装着者の正規視線がレンズの前表面を約９５°より大きい角度、好ましくは約１００°から約１２０°までの範囲で横切るようにするように、眼鏡フレームによって装着者の頭に付けた時のレンズの向きが決定される。レンズの光学中心線はレンズを通っても、通らなくてもよい。
本発明のレンズを製造する方法も開示されている。
本発明のさらなる特徴及び利点は、以下の好適な実施例の詳細な説明を添付の請求の範囲及び図面と組み合わせれば、明らかになるであろう。
【図面の簡単な説明】
第１図は、本発明の実施例に従って製造されたテーパ補正レンズを組み込んだ眼鏡の斜視図である。
第２図は、第１図の２−２線に沿った断面図である。
第３図は、二レンズメガね装置用の従来のテーパなしのレンズの概略的水平断面図である。
第４図は、二レンズ眼鏡装置用のテーパレンズの概略的水平断面図である。
第５図は、第２図と同様な断面図であるが、本発明の別の実施例に従ってベース湾曲を大きくしたテーパ補正レンズを示している。
第６図は、球体の表面の一部分に一致したレンズブランクの斜視図であり、本発明の好適な実施例に従ってブランクから切り取られるレンズ輪郭を示している。
第７図は、第６図の中空のテーパ壁の球体、レンズブランク及びレンズの破断斜視図である。
第８図は、本発明の好適な実施例に従って構成されたレンズの水平断面図である。
第９図は、第８図のレンズの上面図であって、高ラップを装着者との関係で示している。
第１０図は、第９図のレンズ及び装着者の右側面図であって、レンズのレーキを示している。
第１１図は、レンズ輪郭を眼鏡フレーム内の所望向きから本発明の好適な実施例に従ったレンズブランクへ投影した概略図である。
第１２図は、第６図のレンズ及びレンズブランクの正面図であり、ブランクの機械的中心線を紙面に直角に投影できるように回転させている。
好適な実施例の詳細な説明
「球形」の前後表面（球体の表面の一部分にほぼ一致する表面）を備えたレンズに関する好適な実施例を以下に説明するが、本発明は異なった表面形状のレンズにも適用可能であることは、当業者には理解されるであろう。また、図示のもの以外の多くの正面形状及び装着時位置での向きのレンズにも適用できることは理解されるであろう。
第１及び第２図を参照しながら、本発明に従って構成された第１及び第２レンズ１２、１４を備えた眼鏡１０、例えばサングラスを説明する。本発明は「アイ・ジャケット」（Eye Jackets）（商標）の名前でオークレイが市販している眼鏡のデザインに関連して図示されているが、本発明はレンズの湾曲、テーパ及び装着者の頭に付けた時の向きだけに関するものである。従って、第１図に示されている特別なレンズ形状は本発明には重要ではない。むしろ、以下の説明から明らかになるように、本発明を組み込んだ多くの他の形状及び構造のレンズを構成することができる。
同様に、図示の特定の取り付けフレーム１６は本発明にとって本質的なものではない。フレーム１６は、レンズ１２、１４の下縁部だけ、上縁部だけ、または図示のようにレンズ全体を取り囲むものでもよい。あるいは、フレーム１６がレンズのいずれの他の部分を取り囲むこともできることは、当業者には明らかであろう。装着者の頭に付けた時のレンズの向きが以下に説明するように、通常の視線に対して所定の関係をほぼ維持する限り、枠なし眼鏡も本発明に従って構成することができる。しかし、レンズ１２、１４の各々を図示のような環状軌道部分に取り付けることが好ましい。
１対の耳づる２０、２２がフレーム１６に回動可能に取り付けられている。あるいは、耳づる２０、２２を直接的にレンズ１２、１４に取り付けてもよい。フレームは、様々な金属、複合材料、または当該分野では公知の比較的硬質の成形熱可塑性材料で形成することができると共に、透明にしたり、様々な色を付けることができる。射出成形、機械加工及び他の構成技法は公知である。
本発明によるレンズは、公知の様々な方法で製造することができる。
一般的に、高光学品質レンズは、事前成形されている射出成形レンズブランクから切り取られる。左右のレンズは互いに鏡像の関係であることが好ましいので、以下の説明では右レンズについてだけ全体的に説明する。しかし、事前成形レンズブランクからレンズを切り取る方法の説明では、左レンズが右レンズとは異なっている点を、装着時のレンズ向きに合わせて選択されたレーキ及びラップの程度に関して説明する。あるいは、レンズを最終形状及び寸法に直接成形することができ、その場合には成形後の切り取り段階が必要なくなる。
好ましくは、レンズ、またはそれを切り取るレンズブランクは射出成形され、ポリカーボネート等の比較的硬質で光学的に容認できる材料で構成されている。ＣＲ−３９等の他のポリマーレンズ材料や、公知の高屈折率プラスチックも使用できる。本発明の偏心テーパ補正はガラスレンズにも適用可能であるが、ここで言う補正の必要性は、一般的に非ガラス素材の場合の方が顕著である。
レンズをレンズブランクから切り取る場合、成形したレンズブランクの注意深く選択された部分のテーパ及び湾曲が、後述する好適な製造方法に従ってレンズに伝えられる。好ましくは、レンズの成形湾曲部と協働して成形時湾曲からの狂いを最小限に抑えるか、さらにはそれの保持性を向上させるスロットまたは他の取り付け構造をフレームに設ける。
あるいは、レンズまたはレンズブランクをほぼ平面的なテーパシート材から押し抜きまたは切断加工してから、本発明に従った湾曲構造に曲げることもできる。次に、比較的硬質の湾曲フレームを用いるか、熱成形技術において公知のように、その湾曲構造を保持できるように湾曲シートを加熱することによって、この湾曲構造を維持することができる。
最も好ましくは、レンズの両表面の湾曲をレンズブランクの成形及び研摩処理中に形成し、後述するように本発明に従ってレンズ形状をブランクから切り取る。
第２図に示されているように、本発明のレンズ１４は、水平面において、中央縁部２４から装着者の視界の少なくとも一部分、好ましくはほぼ全体にわたって側縁部２６まで延びたほぼ円弧形であることを特徴としている。二レンズ装置において中央縁部２４から側縁部２６までのレンズの円弧長さは一般的に約１・1/2インチから約３・1/2までの範囲、好ましくは約２から約３の範囲に入る。１つの好適な実施例では、レンズの円弧長さは約２・3/8である。
レンズ１２、１４の外表面は共通円３１上にあるように図示されているように見えるが、左右のレンズは一般的に、各レンズの中央縁部が円３１の外側に出て、側縁部が円３１の内側に入るように傾斜している。レンズをそのように傾斜させることによって、角度θ（第２図）が増加し、本発明によって達成される光学補正の妥当性が高まる。
装着時に、レンズ１４は少なくとも装着者の正規視線２７を横切って、好ましくはほぼ装着者の周辺視界を横切る必要がある。ここで使用する装着者の正規視線とは、装着者の目の真っ直ぐ前方に延びた直線のことであり、第９及び第１０図に線１３０で示されているように垂直面または水平面上において角偏差をほとんど伴っていない。
レンズ１４は前表面２８と、後表面３０とを備え、その間の厚さは変化する。ポリカーボネートレンズの場合、中央縁部２４付近におけるレンズ１４の厚さは一般的に約１ｍｍから約２．５ｍｍまで、好ましくは約１．５ｍｍから約１．８ｍｍまでの範囲である。好適な実施例では、レンズ１４の最も厚い部分は光学中心線であって、約１．６５ｍｍである。
好ましくは、レンズ１４の厚みは、必ずしも均等でなくてもよいが、中央縁部２４付近の最大厚みから側縁部２６位置の比較的小さい厚みまで滑らかに薄くなる。側縁部２６付近のレンズの厚みは一般的に約０．６３５ｍｍから約１．５２ｍｍまで、好ましくは約０．７６２ｍｍから約１．２７ｍｍまでの範囲である。好適なポリカーボネート実施例では、レンズの側部での最小厚みが約１．１５ｍｍである。側縁部２６の最小厚みは、一般的にレンズの所要衝撃抵抗に応じて決定される。
第３図は、円形の内側及び外側表面の水平断面で均一厚み４４の従来形のレンズ４１の屈折を概略的に説明している。そのようなレンズ４１では、レンズ４１から目４６へ向かう光線の入射角が、視界全体で変化する。例えば、説明上中央光線５０と呼ぶ光線は、入射点における法線に対して角度αでレンズ４１に衝突する。当該分野では公知のように、透過表面における光の曲がりは、光線の入射角によって部分的に決定される。光線５０は、レンズ４１の外表面５２及び内表面５４において逆方向に屈折する、すなわち曲がる結果、透過光線５６は入射光線５０に平行になる。透過光線５０は、入射光線５０の経路から距離５８だけ側方へ変位している。この変位が、（プリズム）光学ゆがみの第１の原因である。
また、入射角βが大きくなることから、側縁部６０では屈折変位がさらに顕著になる。光学分野の専門家には理解されるように、スネルの法則に従って周辺入射光線６２は中央入射光線５０よりも大きい変位６４を受ける。周辺光線の変位量６４と中央光線の変位量５８とが異なる結果、二次的な光学ゆがみが生じる。この二次的なゆがみによって、レンズ４１の比較的側方部分から見た像に大きなひずみが生じる。
第４図は、ジャナードに発行された米国特許第４，８５９，０４８号の一体型レンズ装置に関連して開示されているように、レンズ４１（第３図）の側縁部６０で大きくなる入射角を補償するためにテーパ状の厚みにしたレンズ７１を概略的に示している。テーパをつけることによって、側縁部７６でのレンズ厚み７４が中央寄りの地点８０でのレンズ厚み７８よりも薄くなっている。このように厚み７４を小さくすることによって、第４図のテーパをつけていないレンズ４１の場合の周辺光線変位量６４よりも周辺光線変位量８２が減少する。言い換えると、テーパレンズ７１の中央寄りの地点８０での厚み７８及び入射角α’に較べて、側縁部７６付近のレンズの厚み７４が小さくなることによって、入射角β’が大きくなることがある程度相殺される。
同じレンズ７１において周辺光線変位量８２と中央光線変位量８４との間に生じる違いが、第３図の対応の差ほど大きくなく、二次的光学ゆがみが軽減される。二次的ゆがみの補正度は、頂点８５から各側縁部７６までのテーパの様子及び程度と、入射角が同じ範囲で変化する様子との間の関係によって決まることに注意されたい。
第４図のレンズ７１は、装着者の正規視線８６がレンズ頂点すなわち機械的中心８５でレンズ７１を垂直に通過するようにフレーム（図示せず）内に取り付けられているかのように示されている。言い換えると、装着者の正規視線の場合、レンズ法線に対する入射角がゼロである。断面図で示されたレンズ７１の外側及び内側表面は、それぞれ中心点８７及び８８で表されている、ずれているが等半径の円のに一致している。ここではレンズの光学中心線と呼ぶ中心点８７及び８８を通る線は、装着時向きにおいて正規視線と共線関係にある。説明を簡単にするため、この従来型構造を中心配置レンズと定義することにする。正規視線８６の円周方向時計回り、または反時計回りに、レンズ法線に対する入射角は、レンズ頂点８５でのゼロから均等に増加する。美観的スタイリング上の理由、浮遊塵からの目の側方保護、または周辺光の遮断のために高度のラップが望ましいであろう。急な水平湾曲（高ベース）のレンズ、例えば小半径の球面レンズの使用、または中心配置二レンズに対して側部後方に傾斜させた位置への各レンズの取り付けによってラップを達成することができる。しかし、そのような傾斜によって、正規視線８６が光学中心線との共線関係から外れ、レンズの光学特性が変化する。その結果、装着者の顔面の側部を取り囲む大きな「ラップ」をつけた従来型の二レンズ眼鏡は、一般的にある程度のプリズムゆがみを伴っていた。
本発明によれば、プリズムゆがみを最小限に抑える改良形光学構造及び方法が提供されている。本発明は様々なレンズ形状及び向きに適用できるが、本発明は特に高ベース湾曲を用いて装着時向きにおいて高度のラップを示す二レンズ眼鏡に利用される。
第２及び第５図に示されている眼鏡は、従来の中央配置二レンズ取り付けに対して側方へ回転した位置に取り付けられた傾斜レンズ１２及び１４、または１０２及び１０４を組み込んでいる。傾斜レンズの装着者の頭に対する向きは、中央配置レンズを備えた従来の二レンズ眼鏡から始めて、装着者の頭の側部を取り囲むようにフレームをこめかみの位置で内向きに曲げることによって得られると考えられる。
ラップを増加させた結果、装着者の正規視線２７は、第４図に示されているようにレンズ１４に垂直に当たらなくなる。代わりに、装着者の視線２７に対する入射角θ°（第２図）が９０°より大きくなり、良好なラップを得るためには、それが約９５°以上、好ましくは約１００°から約１３５°までの範囲に入り、ベースが９．５の実施例では約１０１．７５°である。ベースが低いレンズほど、装着時向きにおけるθが大きくなり、ベースが６．５の実施例の角度θは約１１３．４°である。瞳孔間距離が２．８インチでベースが４の実施例では、角度θが約１１９．８６４°であった。
第５図は、本発明の実施例に従った眼鏡１００の水平断面図を示しており、第２図に示されているものとスタイルは同様であるが、レンズ１０２及び１０４の湾曲が急になっている（ベースが高くなっている）と共に、おそらくラップが大きくなっている。眼鏡１００を装着した時、レンズ１０４の側縁部１０６が大きく回り込んで着用者のこめかみ付近に達することによって、問題の目の側方保護を十分に行うことができる。
本発明のレンズの前表面１０８は、図面の水平断面で示されているように、標準幾何立体、例えば球体１１０の表面の一部にほぼ一致する。従って、図示の実施例の球面レンズ１０２及び１０４の前表面は半径を特徴としている。当該業界の慣例では、湾曲はベース値で表すこともできるので、レンズの前表面のｍｍ単位の半径（Ｒ）は、５３０をベース湾曲で割った値、すなわち
0004025368.tif 000002
になる。
本発明は、ベース湾曲が６以上、好ましくは約７・1/2から１０・1/2まで、さらに好ましくは約８から９・1/2まで、１つの実施例では約８・3/4から９までであるレンズブランクを用いて比較的高いラップの二レンズ眼鏡装置を構成できるようにする。例えば、ベースが８・3/4のレンズの前表面に一致する円の半径は約６０．５７ｍｍである。それに対して、ベースが３のレンズの前表面の場合の円の半径は約１７６．６６ｍｍである。
第５図に示されている本発明の実施例は、厚みが光学中心線の位置で約０．０６４９インチ、光学中心線からレンズの外周に沿って２インチ移動した基準点で０．０５３インチで、ベースが８・3/4のレンズブランクから切り取ることができる。あるいは、レンズを直接的にそれの最終形状及び構造に成形することもできる。
第６図は、レンズブランク１２２の斜視図であり、それの凸状の外表面１３６が、立体幾何形状１２４の表面の一部分にほぼ一致している。本発明に従ったレンズを様々な幾何形状のいずれかに一致させることができることは、当業者には理解されるであろう。
好ましくは、レンズの外表面は、水平面または垂直面のいずれかにおいて一定の水平半径（球体または円柱）または漸増曲線（楕円、トロイド、卵形）の滑らかな連続表面を備えた形状に一致するようにする。しかし、ここに記載した好適な実施例の幾何形状１２４は、ほぼ球体である。
第６及び第７図に示されている球体１２４は、仮想立体であり、その壁の一部分がレンズ２０を切り取るのに適している。公知のように、精密レンズ切断は、レンズ１２０を最終的に切り取るレンズブランク１２２を形成することによって行われることが多い。しかし、別体のレンズブランクを使用することは任意であり、必要ならばレンズ１２０を直接的にそれの最終形状及び構造に成形してもよいことは、第６及び第７図から当業者には明らかであろう。
また第６及び第７図からわかるように、レンズ及びレンズブランク１２２の両方またはいずれか一方を球体１２４上の様々な位置に配置することができる。本発明の目的に合わせて、光学中心線１３２が球体１２４に対するレンズ１２０の向きの基準線として機能する。図示の実施例では、外表面及び内表面の両方が球体の一部分に一致しており、光学中心線が２つの中心Ｃ１及びＣ２を結ぶ線１３２として定められている。非球面レンズ形状のための同様な基準線は、球体の２つの幾何中心の結合とは異なった方法で形成できることは、当業者には明らかであろう。
レンズ１２０は、第７図に示されている球体の壁の一部分の形状を保持するようにして最終的に形成される。レンズ１２０が眼鏡フレーム内で方向が決められた時に、レンズを通る装着者の正規視線１３０が、レンズ１２０を切り出す幾何形状の光学中心線１３２にほぼ平行に維持されるようにして、球体１２４上のレンズ１２０の位置が選択される。第６及び第７図では、レンズ１２０は、ラップが大きいと共にある程度のレーキを備えた右レンズである。異なった形状、またはラップを小さくしたレンズでは、レンズを切り取る仮想球体１２４の光学中心線１３２に重なる場合もある。しかし、レンズ１２０の視線１３０が装着時向きにおいて光学中心線１３２にほぼ平行に維持される限り、仮想球体１２４の光学中心線がレンズ１２０を横切るか否かは重要ではない。
本発明では、「ほぼ平行」とは、レンズ１２０を装着時の位置で方向決めした時、視線１３０が水平面において光学中心線１３２に平行な位置から約±１５°を超えない偏差であることを意味するものとする。好ましくは、正規視線１３０は光学中心線１３２からの偏差が約±１０°を超えない、さらに好ましくは、正規視線１３０は光学中心線１３２に平行な位置からの偏差が約±５°まで、最も好ましくは約±２°までにする。視線１３０が装着時向きで光学中心線に平行であることが最適である。一般的に、眼鏡フレームは、視線１３０にほぼ平行な垂直対称面を備えている。従って、光学中心線１３２はフレームの垂直対称面にほぼ平行になる。
水平面に平行な位置からの外れは、垂直面に平行な位置からの外れよりも光学系に与える負の衝撃が一般的に大きい。従って、偏差角度の水平成分が平行な向きからの上記偏差範囲内ある限り、一部の眼鏡では垂直面上での視線１３０と光学中心線１３２との間の立体角が上記範囲を超えてもよい。好ましくは、視線１３０の垂直面上における装着時向きでの光学中心線からの偏差が約±１０°まで、さらに好ましくは約±３°までである。
第７図は、第６図のレンズ１２０、レンズブランク１２２及び幾何形状１２４の破断図である。この図面から、幾何形状１２４の光学中心線を通る水平断面１３４で示されているように、好適な幾何形状１２４が可変厚みの壁を備えた中空体であることがわかる。
好適な幾何形状１２４のテーパ壁は、中心Ｃ１及びＣ２及び半径Ｒ１及びＲ２で表された２つの水平方向にずれた球体から得られる。好適なレンズブランク１２２の外表面１３６は一方の球体（半径Ｒ１）に一致しているのに対して、レンズブランク１２２の内表面１３８は他方の球体（半径Ｒ２）に一致している。２つの球体を定めるパラメータを調節することによって、レンズブランク１２２のテーパの性質も調節することもできる。
特に、レンズブランクの外表面１３６及び内表面１３８が一致している２つの球体のパラメータは屈折力が全くないか、もしくは非矯正レンズを形成するように選択することが好ましい。ＣＴが選択された中心厚み（中空幾何形状１２４の壁の最大厚み）を表し、レンズブランク材料の屈折率をｎとし、外表面１３６の湾曲の設計選択によってＲ１に設定した場合、Ｒ２は次式に従って決定される：
0004025368.tif 000003
ＣＴ／ｎは球体中心Ｃ１及びＣ２の離間距離を表す。例えば、設計選択においてベースが６のレンズが望まれ、中心厚みを３ｍｍに選択し、好適な材料（ポリカーボネート）の屈折率が１．５８６である場合、Ｒ２は次のように決定される：
0004025368.tif 000004
この場合、外表面１３６の半径Ｒ１が８８．３３３ｍｍ、内表面１３３の半径Ｒ２が８７．２２５ｍｍ、球体中心Ｃ１及びＣ２の離間距離が１．８９２ｍｍである。これらのパラメータは、好適な偏心球体実施例のレンズブランク１２２の湾曲を説明している。
好適な実施例の場合、光学中心線１３２は、ずれた球体の両中心点Ｃ１及びＣ２を通る線である。これは、好適な幾何形状１２４の壁の光学中心１４０に位置する最肉厚部分をたまたま通過している。光学中心線１３２は、図示のレンズブランク１２２の表面１３６をたまたま通っているが、これは必ずしも必要ない。光学中心１４０はレンズ１２０上をたまたま通っていないが、大形のレンズや装着時向きにおいてラップを小さくしたレンズではそれを通る場合もある。
第８図は、レンズ１２０の水平断面図であり、外表面１３６及び内表面１３８が一致する幾何形状１２４を仮想線で示している。レンズブランク１２２は図面から省略されている。本発明によれば、選択されたテーパ向きに対応した光学中心線１３２が、レンズ１２０を眼鏡フレームに取り付ける時に装着者の正規視線１３０に平行になるように調整されている。
さらに、好適な実施例は、水平及び垂直断面の両方が円形であるが、両平面の様々なレンズ形状を本発明と組み合わせることができる。例えば、本発明のレンズの外表面を第６及び第７図に示されているように球形にほぼ一致させることができる。あるいは、レンズを直円柱、円すい台、楕円柱、楕円体、回転楕円体、または多くの他の立体形状のいずれかに一致させてもよい。しかし、外表面の特別な垂直または水平湾曲に関係なく、少なくとも水平面においてレンズの厚みが滑らかに薄くなるように内表面を選択する必要がある。
第９〜第１２図は、本発明の好適な実施例に従って右レンズ１２０を切り取るレンズブランク１２２上の位置を選択する方法の説明を助けるものである。好適な実施例の二レンズ眼鏡の左レンズも同様な方法を用いて形成できることは理解されるであろう。
第１段階として、レンズの内側または外側表面１３６の所望の全体湾曲を選択する。好適なレンズ１２０用に、この選択によってレンズブランク１２２のベース値が決定される。前述したように、多くの他の湾曲を本発明に組み合わせて使用することができる。レンズ厚みも事前に選択することができる。特に、最小厚みは、レンズが所定の衝撃力に耐えることができるように選択することができる。
所望のレンズ形状も選択できる。例えば、第１２図は、レンズの正面図の一例を示している。選択された特定形状は、一般的にここに開示した所定向きの偏心レンズ光学系に関係ない。
レンズの所望の装着時向きも、装着者１２６の正規視線１３０に関連させて選択される。前述したように、好適な取り付け向きすることによって、側方保護及び周辺光の遮断を行うための、またデザイン上の理由にもよる大きな側方ラップが得られる。例えば、第６〜第１２図に示されている実施例は、ラップを得るために傾斜レンズ１２０を用いている。あるいは、高ベースのレンズを用い、従来のものに近い（傾斜しない）向きにすることによっても、ラップを得ることができる。第９及び第１０図は、取り付け向きが装着者の視線１３０にどのように関係するかをわかりやすく説明している。
装着者１２６の頭に対する、および特に正規視線１３０に対するレンズ１２０の様々な垂直方向の向きを概略的に示している第１０図から理解されるように、眼鏡の設計者はレーキ、すなわち垂直傾斜の度合いを選択することもできる。図示されているように、一般的な頭部構造の一致性の改善を含めた様々な理由から、下方レーキが望ましい。本説明から当業者には明らかなように、光学中心線１３２（第７図を参照）と交わる水平面より下側に位置する機械的中心点を設けたレンズ１２０は、第１０図に示されたような下方レーキを保持する傾向がある。これは、レンズ１２０が光学中心線に関連付けた球体の赤道の下方に形成されているからである。仮想球体の光学中心線１２２に対するレンズ１２０の向きは、レンズ１２０と装着時の状態の正規視線１３０の平行線との間の向きと同じになるはずであるので、光学中心線１３２の下方でこの球体から切り取られたレンズはいずれも、対応の下方レーキを示すはずである。
第１１図は、レンズ１２０の水平向きをレンズブランク１２２上に写したものを示している。選択された向きを測定する基準になる正規視線１３０は、光学中心線１３２からずれた位置でそれに平行に維持される。
第１１図に示されているような美観的デザインが決定され、その美観的設計に合う適当なベース湾曲を備えたレンズブランク１２２を形成してから、その美観的設計を球体の表面上に投影することによって、レンズ１２０として使用するのに適した球体の部分を明らかにすることができる。球体の光学中心線が装着時向きにおいて所望の正規視線にほぼ平行になる向きから外れる位置へレンズ１２０を回転させることなく、球体から切り取ったレンズが美観的設計に適したラップ及びレーキを示す位置に位置決めされるまで、球体上へのレンズ形状の投影像を球体の表面に沿って移動させなければならない。
図示されていないが、例えば第１０図に示されているように、垂直向きについても同様な投影を行うことができることは理解されるであろう。第１０図は、視線１３０に関連付けたレンズ上縁部１５２及び下縁部１５４の形の基準点を与えている。次に、視線１３０を光学中心線１３２にほぼ平行に維持しながら、上縁部１５２及び下縁部１５４の両方がレンズブランクの外表面１３６上の対応地点に同時に整合するまで、投影像を上下に移動させることができる。
水平輪郭及び垂直輪郭の両方の投影を同時に行って、視線１３０が光学中心線１３２またはレンズブランク１２２の他の基準線に平行になる、（第１２図に示されている正面形状を含む）レンズの所望立体形状に対応したレンズブランク１２２上の単一位置を定める。もちろん、線１３０及び１３２はほぼ平行である、すなわち上記の角偏差の許容範囲に入っていることは理解されるであろう。
次に、この形状をブランク１２２から切り取るか、直接的に最終レンズ形状に成形する。これによって得られたレンズ１２０は、所望形状に一致するだけでなく、プリズムゆがみを最小限に抑えることができる。
第１２図は、第６及び第７図の球体の表面の一部分に一致するように示されたレンズブランク１２２を示している。第１２図において、レンズブランク１２２は、その機械的中心が図面の中心に示されるように回転されている。図示のレンズ１２０は、中央縁部１４８と、側縁部１４４と、上縁部１５２と、下縁部１５４とを備えている。右レンズ１２０の少なくとも一部分は、レンズブランク１２２の左下（第３）象限に位置している。好ましくは、ラップ及び下方レーキの両方を示す本発明の実施例では、レンズ面積の少なくとも約半分がレンズブランク１２２の第３象限に入る。好ましくは、レンズ１２０の面積の全部またはほとんど全部が図示の光学中心の左下に位置するようにする。レーキは同程度であるがラップが小さいレンズは、レンズ面積の５０％以上がレンズブランク１２２の右下（第２）象限に入るようにして、レンズブランク１２２上に配置することができる。
このように、本発明はテーパと装着者の目からレンズの表面へ向かう可変入射角との間の正確な対応性を与える正確な方法を提供している。装着者の視線とテーパの形との間に新しい関係を認識することによって、本発明はプリズムゆがみを最小限に抑えながら、様々なレンズ構造を使用できるようにする。例えば、設計者は装着者の視線に対してレンズに所望の向き及び湾曲を選択することができる。向き及び湾曲は、広範囲のレーキ、ラップ、ベース値及び装着者の顔面との近接度から選択することができる。向き及び湾曲は、広範囲のレーキ（すなわちレンズの垂直「傾斜」）、水平傾斜、ベース値及び装着者の顔面との近接度から選択することができる。次に、本発明の方法によって、プリズムゆがみが最小限に抑えられるように、テーパの形を選択することができる。
以上に一定の好適な実施例について本発明を説明してきたが、当業者には他の実施例も明らかになるであろう。従って、本発明は好適な実施例の記載によって制限されるのではなく、添付の請求項のみによって定義されるものとする。
【図１】
0004025368.tif 000005
【図２】
0004025368.tif 000006
【図３】
0004025368.tif 000007
【図４】
0004025368.tif 000008
【図５】
0004025368.tif 000009
【図６】
0004025368.tif 000010
【図７】
0004025368.tif 000011
【図８】
0004025368.tif 000012
【図９】
0004025368.tif 000013
【図１０】
0004025368.tif 000014
【図１１】
0004025368.tif 000015
【図１２】
0004025368.tif 000016